(57)【特許請求の範囲】
【請求項１】
第１の主面と、前記第１の主面と反対側の第２の主面とを有し、前記第１の主面の側端に第１の接続ランド部が設けられ、前記第１の接続ランド部上に基準部材が設けられた第１のプリント基板と、
第３の主面と、前記第３の主面と反対側の第４の主面とを有し、前記第４の主面の側端に前記第３の主面と前記第４の主面との間を貫通する基板貫通孔が形成され、前記第４の主面の基板貫通孔の開口部に近接して第２の接続ランド部が設けられた第２のプリント基板と、
前記第１の接続ランド部と前記第２の接続ランド部との間を電気的に接続する導電性接合材と、を備え、
前記基準部材は、前記第１のプリント基板と前記第２のプリント基板とを接合する際に溶融した前記導電性接合材をはじくようになっている
ことを特徴とする電子装置。
【請求項２】
前記第１のプリント基板と前記第２のプリント基板とは、前記第１の主面の前記側端と前記第４の主面の前記側端とが対向した状態で、前記第１の接続ランド部と前記第２の接続ランド部と電気的に接続されるように前記導電性接合材により接合され且つ前記基準部材と前記導電性接合材との基準界面を通る前記第１の主面に垂直な法線が前記基板貫通孔の内部を貫通している
ことを特徴とする請求項１に記載の電源装置。
【請求項３】
前記基準部材と前記導電性接合材との前記基準界面が前記基板貫通孔の前記第３の主面側から見えている
ことを特徴とする請求項２に記載の電子装置。
【請求項４】
前記導電性接合材と前記基板貫通孔の前記第４の主面側の開口部とが接触するフィレット界面が存在している
ことを特徴とする請求項２に記載の電子装置。
【請求項５】
前記第１の接続ランド部の端部と前記第２の接続ランド部との間に前記導電性接合材の少なくとも一部が位置していることを特徴とする請求項４に記載の電子装置。
【請求項６】
前記基準部材は、樹脂を含むレジストであることを特徴とする請求項４に記載の電子装置。
【請求項７】
前記導電性接合材は、はんだ材であることを特徴とする請求項４に記載の電子装置。
【請求項８】
前記基準部材の厚さは、前記第１の接続ランド部の表面と前記第２の接続ランド部の表面との間の距離よりも小さいことを特徴とする請求項５に記載の電子装置。
【請求項９】
前記第１の主面の前記側端に沿って複数の前記第１の接続ランド部及び基準部材が設けられ、前記第１の接続ランド部及び基準部材に対応して、前記第４の主面の前記側端に沿って複数の前記第２の接続ランド部が設けられている
ことを特徴とする請求項４に記載の電子装置。
【請求項１０】
前記基準部材の前記第１の主面に平行な断面の形状は、円形、又は、多角形であることを特徴とする請求項４に記載の電子装置。
【請求項１１】
前記基板貫通孔の前記第４の主面に平行な断面の形状は、円形、又は、多角形であることを特徴とする請求項１０に記載の電子装置。
【請求項１２】
前記基準部材が長方形の形状を有する場合に、前記長方形の前記基準部材の長手方向と、前記長方形の基板貫通孔の長手方向とが直交することを特徴とする請求項１１に記載の電子装置。
【請求項１３】
前記第１のプリント基板の隣接する前記第１の接続ランド部間の領域には、第１の切り欠き部が形成され、前記第２のプリント基板の隣接する隣接する第２の接続ランド部間の領域には、第２の切り欠き部が形成されていることを特徴とする請求項９に記載の電子装置。
【請求項１４】
前記第１のプリント基板は、アルミニウム基板またはセラミック基板であり、前記第２のプリント基板は、ガラスエポキシ基板であることを特徴とする請求項４に記載の電子装置。
【請求項１５】
２枚のプリント基板を接合する電子装置の製造方法であって、
第１の主面と、前記第１の主面と反対側の第２の主面とを有し、前記第１の主面の側端に第１の接続ランド部が設けられ、前記第１の接続ランド部上に基準部材が設けられた第１のプリント基板を準備する第１の工程と、
第３の主面と、前記第３の主面と反対側の第４の主面とを有し、前記第４の主面の側端に前記第３の主面と前記第４の主面との間を貫通する基板貫通孔が形成され、前記第４の主面の基板貫通孔の開口部に近接して第２の接続ランド部が設けられた第２のプリント基板を準備する第２の工程と、
前記第１の接続ランド部と前記第２の接続ランド部との間を導電性接合材で電気的に接続する第３の工程と、を備え、
前記基準部材は、前記第１のプリント基板と前記第２のプリント基板とを接合する際に溶融した前記導電性接合材をはじくようになっており、
前記第３の工程において、前記第１のプリント基板と前記第２のプリント基板とは、前記第１の主面の前記側端と前記第４の主面の前記側端とが対向した状態で、前記第１の接続ランド部と前記第２の接続ランド部と電気的に接続されるように前記導電性接合材により接合され且つ前記基準部材と前記導電性接合材との基準界面を通る前記第１の主面に垂直な法線が前記基板貫通孔の内部を貫通している
ことを特徴とする電子装置。
【発明の詳細な説明】
【技術分野】
【０００１】
本発明は、電子装置の製造方法に関する発明である。
【背景技術】
【０００２】
従来、例えば、半導体スイッチ素子を制御する制御ＩＣを、半導体スイッチ素子やダイオード等の発熱部品が実装されるプリント基板とは別のプリント基板に実装することが行われている。【０００３】
そして、例えば、特開平１１−１０３１４５号公報には、２枚のプリント基板がはんだで直接接合された回路基板が記載されている。
【発明の開示】
【発明が解決しようとする課題】
【０００４】
上述のように、プリント基板同士を、はんだ（導電性接合材）で直接接合する場合、はんだ接合部が基板で隠れるため、リフロー工程後に、はんだ付けが正常に行われたかどうかを確認することが困難となる問題がある。【０００５】
そこで、本発明は、２枚のプリント基板がはんだ付けにより正常に接合されていることを容易に確認することが可能なプリント基板の接合方法、電子装置、および電子装置の製造方法を提供することを目的とする。
【課題を解決するための手段】
【０００６】
本発明の一態様に係る実施形態に従った電子装置は、    
第１の主面と、前記第１の主面と反対側の第２の主面とを有し、前記第１の主面の側端に第１の接続ランド部が設けられ、前記第１の接続ランド部上に基準部材が設けられた第１のプリント基板と、
第３の主面と、前記第３の主面と反対側の第４の主面とを有し、前記第４の主面の側端に前記第３の主面と前記第４の主面との間を貫通する基板貫通孔が形成され、前記第４の主面の基板貫通孔の開口部に近接して第２の接続ランド部が設けられた第２のプリント基板と、
前記第１の接続ランド部と前記第２の接続ランド部との間を電気的に接続する導電性接合材と、を備え、
前記基準部材は、前記第１のプリント基板と前記第２のプリント基板とを接合する際に溶融した前記導電性接合材をはじくようになっている
ことを特徴とする。【０００７】
前記電子装置において、
前記第１のプリント基板と前記第２のプリント基板とは、前記第１の主面の前記側端と前記第４の主面の前記側端とが対向した状態で、前記第１の接続ランド部と前記第２の接続ランド部と電気的に接続されるように前記導電性接合材により接合され且つ前記基準部材と前記導電性接合材との基準界面を通る前記第１の主面に垂直な法線が前記基板貫通孔の内部を貫通している
ことを特徴とする。【０００８】
前記電子装置において、
前記基準部材と前記導電性接合材との前記基準界面が前記基板貫通孔の前記第３の主面側から見えている
ことを特徴とする。【０００９】
前記電子装置において、
前記導電性接合材と前記基板貫通孔の前記第４の主面側の開口部とが接触するフィレット界面が存在している
ことを特徴とする。【００１０】
前記電子装置において、
前記第１の接続ランド部の端部と前記第２の接続ランド部との間に前記導電性接合材の少なくとも一部が位置していることを特徴とする。【００１１】
前記電子装置において、
前記基準部材は、樹脂を含むレジストであることを特徴とする。【００１２】
前記電子装置において、
前記導電性接合材は、はんだ材であることを特徴とする。【００１３】
前記電子装置において、
前記基準部材の厚さは、前記第１の接続ランド部の表面と前記第２の接続ランド部の表面との間の距離よりも小さいことを特徴とする。【００１４】
前記電子装置において、
前記第１の主面の前記側端に沿って複数の前記第１の接続ランド部及び基準部材が設けられ、前記第１の接続ランド部及び基準部材に対応して、前記第４の主面の前記側端に沿って複数の前記第２の接続ランド部が設けられている
ことを特徴とする。【００１５】
前記電子装置において、
前記基準部材の前記第１の主面に平行な断面の形状は、円形、又は、多角形であることを特徴とする。【００１６】
前記電子装置において、
前記基板貫通孔の前記第４の主面に平行な断面の形状は、円形、又は、多角形であることを特徴とする。【００１７】
前記電子装置において、
前記基準部材が長方形の形状を有する場合に、前記長方形の前記基準部材の長手方向と、前記長方形の基板貫通孔の長手方向とが直交することを特徴とする。【００１８】
前記電子装置において、
前記第１のプリント基板の隣接する前記第１の接続ランド部間の領域には、第１の切り欠き部が形成され、前記第２のプリント基板の隣接する隣接する第２の接続ランド部間の領域には、第２の切り欠き部が形成されていることを特徴とする。【００１９】
前記電子装置において、
前記第１のプリント基板は、アルミニウム基板またはセラミック基板であり、前記第２のプリント基板は、ガラスエポキシ基板であることを特徴とする。【００２０】
本発明の一態様に係る実施形態に従った電子装置の製造方は、
２枚のプリント基板を接合する電子装置の製造方法であって、
第１の主面と、前記第１の主面と反対側の第２の主面とを有し、前記第１の主面の側端に第１の接続ランド部が設けられ、前記第１の接続ランド部上に基準部材が設けられた第１のプリント基板を準備する第１の工程と、
第３の主面と、前記第３の主面と反対側の第４の主面とを有し、前記第４の主面の側端に前記第３の主面と前記第４の主面との間を貫通する基板貫通孔が形成され、前記第４の主面の基板貫通孔の開口部に近接して第２の接続ランド部が設けられた第２のプリント基板を準備する第２の工程と、
前記第１の接続ランド部と前記第２の接続ランド部との間を導電性接合材で電気的に接続する第３の工程と、を備え、
前記基準部材は、前記第１のプリント基板と前記第２のプリント基板とを接合する際に溶融した前記導電性接合材をはじくようになっており、
前記第３の工程において、前記第１のプリント基板と前記第２のプリント基板とは、前記第１の主面の前記側端と前記第４の主面の前記側端とが対向した状態で、前記第１の接続ランド部と前記第２の接続ランド部と電気的に接続されるように前記導電性接合材により接合され且つ前記基準部材と前記導電性接合材との基準界面を通る前記第１の主面に垂直な法線が前記基板貫通孔の内部を貫通している
ことを特徴とする。
【発明の効果】
【００２１】
本発明の一態様に係る電子機器装置は、第１の主面と、第１の主面と反対側の第２の主面とを有し、第１の主面の側端に第１の接続ランド部が設けられ、第１の接続ランド部上に基準部材が設けられた第１のプリント基板と、第３の主面と、第３の主面と反対側の第４の主面とを有し、第４の主面の側端に第３の主面と第４の主面との間を貫通する基板貫通孔が形成され、第４の主面の基板貫通孔の開口部に近接して第２の接続ランド部が設けられた第２のプリント基板と、第１の接続ランド部と第２の接続ランド部との間を電気的に接続する導電性接合材と、を備える。【００２２】
そして、基準部材は、第１のプリント基板と第２のプリント基板とを接合する際に溶融した導電性接合材をはじくようになっている。【００２３】
そして、例えば、第１のプリント基板と第２のプリント基板とは、第１の主面の側端と第４の主面の側端とが対向した状態で、第１の接続ランド部と第２の接続ランド部と電気的に接続されるように導電性接合材により接合され且つ基準部材と導電性接合材との基準界面を通る第１の主面に垂直な法線が基板貫通孔の内部を貫通している。【００２４】
これにより、基準部材と導電性接合材との基準界面を通る第１の主面に垂直な法線が基板貫通孔の内部を貫通していることにより、基準部材と導電性接合材との基準界面が基板貫通孔の第３の主面側から確認することができる。【００２５】
このように基準部材と導電性接合材との基準界面を確認することにより、少なくとも第１の接続ランド部と導電性接合材とが接合されているか否かを判断できる。【００２６】
すなわち、２枚のプリント基板がはんだ付けにより正常に接合されていることを容易に確認することができる。
【図面の簡単な説明】
【００２７】
【図１】図１は、第１の実施形態に係る電子装置１で用いられる第１のプリント基板１０を上方から見た構成の一例を示す上面図である。
【図２】図２は、図１に示す第１のプリント基板１０を側方から見た構成の一例を示す側面図である。
【図３】図３は、第１の実施形態に係る電子装置１で用いられる第２のプリント基板２０を上方から見た構成の一例を示す上面図である。
【図４】図４は、図３に示す第２のプリント基板２０を側方から見た構成の一例を示す側面図である。
【図５】図５は、第１の実施形態に係る電子装置１の接合された２枚のプリント基板を上方から見た構成の一例を示す上面図である。
【図６】図６は、図５に示す電子装置１の接合された２枚のプリント基板を側方から見た構成の一例を示す側面図である。
【図７Ａ】図７Ａは、図５に示す電子装置１の接合部分近傍の領域Ｚを拡大した構成の一例を示す上面図である。
【図７Ｂ】図７Ｂは、図７Ａに示す接合部分近傍のＡ−Ａ線に沿った断面の一例を示す断面図である。
【図８】図８は、第１の実施形態に係る電子装置１に用いられるケース３０の斜視図である。
【図９】図９は、第１の実施形態に係る電子装置１の断面図である。
【図１０】図１０は、第１の実施形態に係る電子装置１の製造方法を説明するための断面図である。
【図１１】図１１は、図５に示す電子装置１の接合部分近傍の領域Ｚを拡大した構成の他の例を示す上面図である。
【図１２】図１２は、図５に示す電子装置１の接合部分近傍の領域Ｚを拡大した構成の他の例を示す上面図である。
【図１３】図１３は、図５に示す電子装置１の接合部分近傍の領域Ｚを拡大した構成の他の例を示す上面図である。
【図１４】図１４は、図５に示す電子装置１の接合部分近傍の領域Ｚを拡大した構成の他の例を示す上面図である。
【発明を実施するための最良の形態】
【００２８】
以下、本発明に係る実施形態について図面に基づいて説明する。
【第１の実施形態】
【００２９】
図１は、第１の実施形態に係る電子装置１で用いられる第１のプリント基板１０を上方から見た構成の一例を示す上面図である。また、図２は、図１に示す第１のプリント基板１０を側方から見た構成の一例を示す側面図である。また、図３は、第１の実施形態に係る電子装置１で用いられる第２のプリント基板２０を上方から見た構成の一例を示す上面図である。また、図４は、図３に示す第２のプリント基板２０を側方から見た構成の一例を示す側面図である。また、図５は、第１の実施形態に係る電子装置１の接合された２枚のプリント基板を上方から見た構成の一例を示す上面図である。また、図６は、図５に示す電子装置１の接合された２枚のプリント基板を側方から見た構成の一例を示す側面図である。また、図７Ａは、図５に示す電子装置１の接合部分近傍の領域Ｚを拡大した構成の一例を示す上面図である。また、図７Ｂは、図７Ａに示す接合部分近傍のＡ−Ａ線に沿った断面の一例を示す断面図である。また、図８は、第１の実施形態に係る電子装置１に用いられるケース３０の斜視図である。また、図９は、第１の実施形態に係る電子装置１の断面図である。また、図１０は、第１の実施形態に係る電子装置１の製造方法を説明するための断面図である。
【００３０】
まず、実施形態に係る電子装置１（図９、図１０）で用いられるプリント基板１０（第１のプリント基板）およびプリント基板２０（第２のプリント基板）について説明する。
【００３１】
なお、電子装置１は、例えば、交流発電機から出力される交流電力を直流電力に変換してバッテリーに出力するスイッチングレギュレータ（ＲＥＧ／ＲＥＣＴ）である。
【００３２】
この電子装置１は、第１のプリント基板１０（下側基板）と、第２のプリント基板２０（上側基板）と、導電性接合材６０と、を備える。
【００３３】
ここで、この第１のプリント基板１０（下側基板）は、図１、図２に示すように、第１の主面（上面）１０ａと、第１の主面１０ａと反対側の第２の主面（下面）１０ｂとを有する。そして、この第１のプリント基板１０は、第１の主面１０ａの側端に第１の接続ランド部１１が設けられ、第１の接続ランド部１１上に基準部材Ｒ（レジスト）が設けられている。
【００３４】
また、例えば、図１、図２に示すように、第１の主面１０ａには、電子部品１８、１９が実装されている。この電子部品１８は、ダイオードブリッジを構成するダイオードである。電子部品１９は、交流発電機から入力された交流電力を直流電力に変換する電力変換回路を構成する半導体スイッチ素子（ＭＯＳＦＥＴ、ＩＧＢＴ等）である。
【００３５】
また、第１のプリント基板１０は、例えば、アルミニウム基板またはセラミック基板等の放熱性に優れた基板である。ただし、第１のプリント基板１０は、これに限られず、ガラスエポキシ基板等であってもよい。
【００３６】
なお、本実施形態では、第１のプリント基板１０の第２の主面１０ｂは、ダイオードや半導体スイッチ素子等の発熱部品から発せられた熱を放熱するための放熱面として機能する。このため、第２の主面１０ｂには電子部品が実装されていない。
【００３７】
また、図１および図２に示すように、第１の主面１０ａには、第１のプリント基板１０の側端に沿って複数の第１の接続ランド部１１が設けられている。
【００３８】
そして、図１に示すように、第１のプリント基板１０の隣接する第１の接続ランド部１１間の各領域には、第１の切り欠き部１２がそれぞれ形成されている。なお、第１の切り欠き部１２の大きさや形状は特に限定されるものではない。
【００３９】
なお、第１の接続ランド部１１は、第１の主面１０ａに形成された配線パターンの一部として形成されている。
【００４０】
なお、図１、図２に示すように、第１のプリント基板１０には、３本のバスバー２６および２本のバスバー２７が設けられている。バスバー２６は、交流発電機（ＡＣＧ）により発生した三相交流電力を入力するための端子である。２本のバスバーは、電力変換により得られた直流電力を出力するための端子である。
【００４１】
本実施形態では、バスバー２６、２７は、複数の第１の接続ランド部１１が設けられた第１のプリント基板１０の側端とは反対側の側端から外側に延在するように設けられている。
【００４２】
また、第２のプリント基板２０（上側基板）は、図３、図４に示すように、第３の主面（上面）２０ａと、前記第３の主面２０ａと反対側の第４の主面（下面）２０ｂとを有する。
【００４３】
この第２のプリント基板２０は、第４の主面２０ｂの側端に第３の主面２０ａと第４の主面２０ｂとの間を貫通する基板貫通孔２５が形成され、第４の主面２０ｂの基板貫通孔２５の開口部に近接して第２の接続ランド部２１が設けられている。
【００４４】
また、例えば、図３、図４に示すように、第３の主面２０ａには、電子部品２９が実装され、第４の主面２０ｂには、電子部品２８が実装されている。この電子部品２８は平滑コンデンサであり、電子部品２９は半導体スイッチ素子をオン／オフ制御するための制御ＩＣである。
【００４５】
また、第２のプリント基板２０は、例えばガラスエポキシ基板である。ガラスエポキシ基板に制御ＩＣを実装することにより、アルミニウム基板等の金属基板に制御ＩＣを実装する場合に比べてノイズによる影響を軽減することができ、誤動作等を抑制することができる。
【００４６】
また、図３および図４に示すように、第２のプリント基板２０の第４の主面２０ｂには、第２の接続ランド部２１が設けられている。この第２の接続ランド部２１は、図４に示すように、基板貫通孔２５の直下に設けられている。このように、第２のプリント基板２０の第４の主面２０ｂには、第２のプリント基板２０の側端に沿って複数の第２の接続ランド部２１（が設けられている。
【００４７】
なお、本実施形態では、第２の接続ランド部２１は、第４の主面２０ｂに形成された配線パターンの一部として形成されている。
【００４８】
また、基板貫通孔２５は、第２の接続ランド部２１と、第３の主面２０ａに形成された配線パターン２３とを電気的に接続する。この基板貫通孔２５を介して電子部品１９と電子部品２９とが電気的に接続されている。
【００４９】
そして、図３に示すように、第２のプリント基板２０の隣接する隣接する第２の接続ランド部２１（基板貫通孔２５）間の各領域には、第２の切り欠き部２２がそれぞれ形成されている。
【００５０】
なお、この第２の切り欠き部２２の大きさや形状は特に限定されるものではない。例えば、第２の切り欠き部２２は、図３に示すように、隣り合う基板貫通孔２５同士を結ぶ直線Ｌと交差するまで深く形成されている。これにより、加熱時における第２のプリント基板２０の反りをさらに抑制することができる。
【００５１】
なお、既述の第１、第２の切り欠き部１２、２２が設けられていることで、導電性接合材６０のブリッジ（例えば、はんだブリッジ）が発生していないかどうかを作業者が目視で容易に確認することができる。
【００５２】
なお、第１、第２の切り欠き部１２、２２は、上記のように第１のプリント基板１０および第２のプリント基板２０の両方に設けられる場合に限られず、第１のプリント基板１０および第２のプリント基板２０のうち一方のプリント基板にのみ設けられてもよい。
【００５３】
例えば、線膨張率が大きい方のプリント基板にのみ切り欠き部を設ける。また、切り欠き部は、複数設けられる場合に限らず、プリント基板に１つだけ設けられてもよい。この場合、プリント基板の側端の中央部分に切り欠き部を設けることが好ましい。
【００５４】
ここで、上述の２枚のプリント基板（第１のプリント基板１０および第２のプリント基板２０）を接合する電子装置１の製造方法の一例について説明する。
【００５５】
まず、第１の主面１０ａと、第１の主面１０ａと反対側の第２の主面１０ｂとを有し、第１の主面１０ａの側端に第１の接続ランド部１１が設けられ、第１の接続ランド部１１上に基準部材Ｒ（レジスト）が設けられた第１のプリント基板１０（下側基板）を準備する（第１の工程）。
【００５６】
さらに、第３の主面２０ａと、第３の主面２０ａと反対側の第４の主面２０ｂとを有し、第４の主面２０ｂの側端に第３の主面２０ａと第４の主面２０ｂとの間を貫通する基板貫通孔２５が形成され、第４の主面２０ｂの基板貫通孔２５の開口部に近接して第２の接続ランド部２１が設けられた第２のプリント基板２０（上側基板）を準備する（第２の工程）。
【００５７】
そして、図５、図６、図７Ａ、図７Ｂに示すように、第１のプリント基板１０の第１の主面１０ａと第２のプリント基板２０の第４の主面２０ｂを対向させ、複数の第１の接続ランド部１１がそれぞれ対応する第２の接続ランド部２１に電気的に接続されるように、第１の接続ランド部１１と第２の接続ランド部２１との間を導電性接合材６０で電気的に接続する（第３の工程（接合工程））。
【００５８】
なお、上記第３の工程（接合工程）において、第１のプリント基板１０と第２のプリント基板２０とは、第１の主面１０ａの側端と第４の主面２０ｂの側端とが対向した状態で、第１の接続ランド部１１と第２の接続ランド部２１と電気的に接続されるように導電性接合材６０により接合され且つ基準部材Ｒと導電性接合材６０との基準界面Ｚを通る第１の主面１０ａに垂直な法線が基板貫通孔２５の内部を貫通している。
【００５９】
なお、既述の第１、第２の工程の順序は、逆であってもよく、第１、第２の工程が同時に実施されてもよい。
【００６０】
なお、導電性接合材６０は、例えば、クリームはんだ（はんだ材）であり、接合工程前に第１の接続ランド部１１上に塗布される。
【００６１】
なお、導電性接合材６０は、加熱により硬化する導電性の接合材であればよく、はんだに限定されない。例えば、銀ペーストなどの導電ペーストでもよいし、あるいは、導電性のナノ粒子を接着剤中に分散させた導電性接着剤でもよい。
【００６２】
なお、電子部品１８、１９、２８、２９およびバスバー２６、２７は、接合工程前において、各々、第１、第２のプリント基板１０、２０の所定の位置に塗布されたクリームはんだ上に載置される。
【００６３】
なお、既述の第３の工程（接合工程）において、図５、図６、図７Ａ、図７Ｂに示すように、第１のプリント基板１０の切り欠き部１２と、第２のプリント基板２０の切り欠き部２２とは、少なくとも一部分が重なって貫通部Ｔを形成するように、第１のプリント基板１０および第２のプリント基板２０が接合されてもよい。
【００６４】
これにより、導電性接合材６０が接続ランド部間を跨ぐこと（例えば、はんだブリッジ）を抑制できる。また、詳しくは電子装置１の製造方法で述べるが、第１のプリント基板１０および第２のプリント基板２０を樹脂封止する際に、貫通部Ｔを気泡逃し孔として機能させることができる。
【００６５】
上記のようにして、図５、図６、図７Ａ、図７Ｂに示すように、第１のプリント基板１０と第２のプリント基板２０が直接接合された電子装置１（直接接合プリント基板）が得られる。
【００６６】
ここで、既述の図５、図６、図７Ａ、図７Ｂに示すように、第１の主面１０ａの側端に沿って複数の第１の接続ランド部１１及び基準部材Ｒが設けられ、第１の接続ランド部１１及び基準部材Ｒに対応して、第４の主面２０ｂの側端に沿って複数の第２の接続ランド部２１が設けられている。
【００６７】
そして、図７Ａ、図７Ｂに示すように、導電性接合材６０は、第１の接続ランド部１１と第２の接続ランド部２１との間を電気的に接続している。
【００６８】
より詳しくは、第１のプリント基板１０と第２のプリント基板２０とは、第１の主面１０ａの側端と第４の主面２０ｂの側端とが対向した状態で、第１の接続ランド部１１と前記第２の接続ランド部２１と電気的に接続されるように導電性接合材６０により接合され且つ基準部材Ｒと導電性接合材６０との基準界面Ｚを通る第１の主面１０ａに垂直な法線が基板貫通孔２５の内部を貫通している。
【００６９】
特に、図７Ａ、図７Ｂに示すように、第１の接続ランド部１１の端部と第２の接続ランド部２１との間に導電性接合材６０の少なくとも一部が位置している。
【００７０】
なお、基準部材Ｒは、第１のプリント基板１０と第２のプリント基板２０とを接合する際に溶融した導電性接合材（はんだ材）６０をはじくようになっている。この基準部材Ｒは、例えば、樹脂を含むレジストである。
【００７１】
また、図７Ａ、図７Ｂに示すように、導電性接合材６０と第１の接続ランド部１１とが適切に接合されている場合には、基準部材Ｒと導電性接合材６０との基準界面Ｚが基板貫通孔２５の第３の主面２０ａ側から見えている。
【００７２】
言い換えれば、例えば、電子装置１の製造工程における外観検査において、基準部材Ｒと導電性接合材６０との基準界面Ｚが基板貫通孔２５の第３の主面２０ａ側から見えている場合には、導電性接合材６０と第１の接続ランド部１１とが適切に接合されていると判断することができる。
【００７３】
そして、図７Ａ、図７Ｂに示すように、導電性接合材６０と第２の接続ランド部２１とが適切に接合されている場合には、導電性接合材６０と基板貫通孔２５の第４の主面２０ｂ側の開口部とが接触するフィレット界面Ｙが存在することとなる。
【００７４】
言い換えれば、例えば、電子装置１の製造工程における外観検査において、導電性接合材６０と基板貫通孔２５の第４の主面２０ｂ側の開口部とが接触するフィレット界面Ｙが存在する場合には、導電性接合材６０と第２の接続ランド部２１とが適切に接合されていると判断することができる。
【００７５】
上述のように、基準部材Ｒと導電性接合材６０との基準界面Ｚを通る第１の主面１０ａに垂直な法線が基板貫通孔２５の内部を貫通していることにより、基準部材Ｒと導電性接合材６０との基準界面Ｚが基板貫通孔２５の第３の主面２０ａ側から確認することができる。
【００７６】
このように基準部材Ｒと導電性接合材６０との基準界面Ｚを確認することにより、少なくとも第１の接続ランド部１１と導電性接合材６０とが接合されているか否かを判断できる。
【００７７】
すなわち、２枚の第１、第２のプリント基板１０、２０がはんだ付けにより正常に接合されていることを容易に確認することができる。
【００７８】
なお、基準部材Ｒの第１の主面１０ａに平行な断面の形状は、例えば、円形、又は、多角形であってもよい（図７Ａ、図７Ｂの例では円形である）。
【００７９】
また、基板貫通孔２５の第４の主面２０ｂに平行な断面の形状は、例えば、円形、又は、多角形であってもよい（図７Ａ、図７Ｂの例では円形である）。
【００８０】
また、基準部材Ｒの上下方向の厚さは、第１の接続ランド部１１の表面と第２の接続ランド部２１の表面との間の距離よりも小さくなるように設定されている。
【００８１】
次に、以上のような接合された第１、第２のプリント基板１０、２０を有する実施形態に係る電子装置１について説明する。
【００８２】
既述のように、電子装置１は、導電性接合材６０と、この導電性接合材６０により直接接合された第１のプリント基板１０および第２のプリント基板２０とを有している。
【００８３】
そして、第１のプリント基板１０と第２のプリント基板２０は、図５、図６、図７Ａ、図７Ｂに示すように、第１のプリント基板１０の第１の主面１０ａと第２のプリント基板２０の第４の主面２０ｂが対向し、第１のプリント基板１０に設けられた複数の第１の接続ランド部１１がそれぞれ対応する第２の接続ランド部２１に電気的に接続されるように導電性接合材６０により接合されている。
【００８４】
特に、第１のプリント基板１０と第２のプリント基板２０とは、第１の主面１０ａの側端と第４の主面２０ｂの側端とが対向した状態で、第１の接続ランド部１１と前記第２の接続ランド部２１と電気的に接続されるように導電性接合材６０により接合され且つ基準部材Ｒと導電性接合材６０との基準界面Ｚを通る第１の主面１０ａに垂直な法線が基板貫通孔２５の内部を貫通している。
【００８５】
そして、電子装置１は、図９に示すように、上方に開口したケース３０と、ケース３０のカバー板４０と、ケース３０内に充填された封止部５０とをさらに有している。なお、図９では図示していないが、バスバー２６、２７を収納するハウジング（ソケット）が設けられてもよい。
【００８６】
また、ケース３０は、図８に示すように、底面３１（第１の底面）と、底面３１より深い底面３２（第２の底面）とを有する。底面３１と底面３２は、斜面３３によって接続されている。ケース３０の左側には、バスバー２６、２７をケース３０から突出させるための開口３４が設けられている。なお、ケース３０の材質は、熱伝導性の高い材料が好ましく、例えば、アルミニウム等の金属である。
【００８７】
そして、カバー板４０は、ケース３０の上方の開口を閉塞する。ケース３０とカバー板４０により、第１、第２のプリント基板１０、２０を収納する収納空間が画成される。
【００８８】
そして、図９に示すように、第１のプリント基板１０および第２のプリント基板２０はケース３０に収納されている。より詳しくは、第１のプリント基板１０は、第２の主面１０ｂ（放熱面）が底面３１に接するようにケース３０に収納されており、第２のプリント基板２０は、底面３２の上方に位置するようにケース３０に収納されている。
【００８９】
また、図９に示すように、第１のプリント基板１０の切り欠き部１２と、第２のプリント基板２０の切り欠き部２２とは、少なくとも一部分が重なって貫通部Ｔを構成している。この貫通部Ｔは、ケース３０および第２のプリント基板２０により画成される空間Ｓに連通している。
【００９０】
なお、貫通部Ｔは、図９に示すように、斜面３３の上方に位置してもよい。
【００９１】
これにより、第１のプリント基板１０および第２のプリント基板２０を樹脂封止する際に、貫通部Ｔを介して空間Ｓに溜まった気泡を第１、第２のプリント基板１０、２０の上面側に逃し易くすることができる。
【００９２】
なお、貫通部Ｔの一部分のみが斜面３３の上方に位置してもよい。また、好ましくは、底面３１と斜面３３の境界が貫通部Ｔに露出する。
【００９３】
封止部５０は、ケース３０とカバー板４０により画成される収納空間に充填されている。この封止部５０は、ケース３０に収容された第１、第２のプリント基板１０、２０を封止する。
【００９４】
なお、封止部５０は、例えば硬質エポキシ樹脂からなる。導電性接合材６０のクラック（はんだクラック等）発生を防止するため、封止部５０は硬質樹脂からなることが好ましい。
【００９５】
次に、以上のような構成を有する電子装置１の製造方法について詳しく説明する。
【００９６】
まず、上記の接合方法により導電性接合材６０で直接接合された２枚の第１、第２のプリント基板１０、２０と、ケース３０とを準備する。
【００９７】
次に、図９に示すように、第１のプリント基板１０の下面（放熱面）１０ｂが底面３１に接し、かつ第２のプリント基板２０が底面３２の上方に位置するように、直接接合された第１のプリント基板１０および第２のプリント基板２０をケース３０に収納する（収納工程）。本工程において、貫通部Ｔがケース３０および第２のプリント基板２０により画成される空間Ｓに連通するように、第１のプリント基板１０および第２のプリント基板２０をケース３０に収納する。
【００９８】
次に、カバー板４０によりケース３０の上方の開口を閉塞する（閉塞工程）。具体的には、ケース３０の上方の開口を閉塞するようにカバー板４０を、接着剤あるいはネジ等によりケース３０に固定する。
【００９９】
次に、図１０に示すように、ケース３０を側面の開口３４が上方を向くように配置する。そして、ケース３０とカバー板４０により画成される収納空間に、ケース３０の側面の開口３４から封止樹脂を注入し、ケース３０に収容された第１、第２のプリント基板１０、２０を封止する（封止工程）。本工程では、貫通部Ｔが設けられているため、封止工程の途中で空間Ｓに溜まった気泡は貫通部Ｔを通って開口３４まで上昇していく。したがって、空間Ｓに気泡が残留することを抑制することができる。上記の工程を経て電子装置１を製造することができる。
【０１００】
以上のように、本発明の一態様に係る電子機器装置は、第１の主面と、第１の主面と反対側の第２の主面とを有し、第１の主面の側端に第１の接続ランド部が設けられ、第１の接続ランド部上に基準部材（レジスト）が設けられた第１のプリント基板（下側基板）と、第３の主面と、第３の主面と反対側の第４の主面とを有し、第４の主面の側端に第３の主面と第４の主面との間を貫通する基板貫通孔が形成され、第４の主面の基板貫通孔の開口部に近接して第２の接続ランド部が設けられた第２のプリント基板（上側基板）と、第１の接続ランド部と第２の接続ランド部との間を電気的に接続する導電性接合材と、を備える。
【０１０１】
そして、基準部材は、第１のプリント基板と第２のプリント基板とを接合する際に溶融した導電性接合材をはじくようになっている。
【０１０２】
そして、例えば、第１のプリント基板と第２のプリント基板とは、第１の主面の側端と第４の主面の側端とが対向した状態で、第１の接続ランド部と第２の接続ランド部と電気的に接続されるように導電性接合材により接合され且つ基準部材と導電性接合材との基準界面を通る第１の主面に垂直な法線が基板貫通孔の内部を貫通している。
【０１０３】
これにより、基準部材（レジスト）と導電性接合材（はんだ材）との基準界面を通る第１の主面に垂直な法線が基板貫通孔の内部を貫通していることにより、基準部材と導電性接合材との基準界面が基板貫通孔の第３の主面側から確認（顕微鏡等で確認）することができる。
【０１０４】
このように基準部材と導電性接合材との基準界面を確認することにより、少なくとも第１の接続ランド部（銅版）と導電性接合材（はんだ材）とが接合されているか否かを判断できる（例えば、当該基準界面が確認できない場合は、第１の接続ランド部（銅版）と導電性接合材（はんだ材）とが接合されていないと判断され、当該基準界面が確認できない場合は、第１の接続ランド部（銅版）と導電性接合材（はんだ材）とが接合されていると判断される）。すなわち、２枚のプリント基板がはんだ付けにより正常に接合されていることを容易に確認することができる。
【第２の実施形態】
【０１０５】
既述の第１の実施形態では、基準部材Ｒの第１の主面１０ａに平行な断面の形状が円形であり、基板貫通孔２５の第４の主面２０ｂに平行な断面の形状が円形である構成の一例について説明した。
【０１０６】
しかしながら、この基準部材Ｒの第１の主面１０ａに平行な断面の形状、及び、基板貫通孔２５の第４の主面２０ｂに平行な断面の形状は、同様の機能を発揮できれば、第１の実施形態に示す構成と異なっていてもよい。そこで、本第２の実施形態では、この基準部材Ｒの第１の主面１０ａに平行な断面の形状、及び、基板貫通孔２５の第４の主面２０ｂに平行な断面の形状の他の例について説明する。
【０１０７】
ここで、図１１は、図５に示す電子装置１の接合部分近傍の領域Ｚを拡大した構成の他の例を示す上面図である。なお、図１１の例においては、図７Ａの符号と同じ符号は、第１の実施形態と同様の構成を示す。
【０１０８】
例えば、図１１に示すように、基準部材Ｒの第１の主面１０ａに平行な断面の形状は、長方形であり、基板貫通孔２５の第４の主面２０ｂに平行な断面の形状は、円形である。
【０１０９】
また、図１１に示すように、導電性接合材６０と第１の接続ランド部１１とが適切に接合されている場合には、基準部材Ｒと導電性接合材６０との基準界面Ｚが基板貫通孔２５の第３の主面２０ａ側から見えている。
【０１１０】
言い換えれば、例えば、電子装置１の製造工程における外観検査において、基準部材Ｒと導電性接合材６０との基準界面Ｚが基板貫通孔２５の第３の主面２０ａ側から見えている場合には、導電性接合材６０と第１の接続ランド部１１とが適切に接合されていると判断することができる。
【０１１１】
そして、図１１に示すように、導電性接合材６０と第２の接続ランド部２１とが適切に接合されている場合には、導電性接合材６０と基板貫通孔２５の第４の主面２０ｂ側の開口部とが接触するフィレット界面Ｙが存在することとなる。
【０１１２】
言い換えれば、例えば、電子装置１の製造工程における外観検査において、導電性接合材６０と基板貫通孔２５の第４の主面２０ｂ側の開口部とが接触するフィレット界面Ｙが存在する場合には、導電性接合材６０と第２の接続ランド部２１とが適切に接合されていると判断することができる。
【０１１３】
上述のように、基準部材Ｒと導電性接合材６０との基準界面Ｚを通る第１の主面１０ａに垂直な法線が基板貫通孔２５の内部を貫通していることにより、基準部材Ｒと導電性接合材６０との基準界面Ｚが基板貫通孔２５の第３の主面２０ａ側から確認することができる。
【０１１４】
このように、本第２の実施形態においても、基準部材Ｒと導電性接合材６０との基準界面Ｚを確認することにより、少なくとも第１の接続ランド部１１と導電性接合材６０とが接合されているか否かを判断できる。
【０１１５】
すなわち、本第２の実施形態の電源装置では、第１の実施形態と同様に、２枚の第１、第２のプリント基板１０、２０がはんだ付けにより正常に接合されていることを容易に確認することができる。
【第３の実施形態】
【０１１６】
本第３の実施形態では、基準部材Ｒの第１の主面１０ａに平行な断面の形状、及び、基板貫通孔２５の第４の主面２０ｂに平行な断面の形状のさらに他の例について説明する。
【０１１７】
ここで、図１２は、図５に示す電子装置１の接合部分近傍の領域Ｚを拡大した構成の他の例を示す上面図である。なお、図１２の例においては、図７Ａの符号と同じ符号は、第１の実施形態と同様の構成を示す。
【０１１８】
例えば、図１２に示すように、基準部材Ｒの第１の主面１０ａに平行な断面の形状は、長方形であり、基板貫通孔２５の第４の主面２０ｂに平行な断面の形状は、長方形である。
【０１１９】
特に、長方形の基準部材Ｒの長手方向と、長方形の基板貫通孔２５の長手方向とが直交している。
【０１２０】
また、図１２に示すように、導電性接合材６０と第１の接続ランド部１１とが適切に接合されている場合には、基準部材Ｒと導電性接合材６０との基準界面Ｚが基板貫通孔２５の第３の主面２０ａ側から見えている。
【０１２１】
言い換えれば、例えば、電子装置１の製造工程における外観検査において、基準部材Ｒと導電性接合材６０との基準界面Ｚが基板貫通孔２５の第３の主面２０ａ側から見えている場合には、導電性接合材６０と第１の接続ランド部１１とが適切に接合されていると判断することができる。
【０１２２】
そして、図１２に示すように、導電性接合材６０と第２の接続ランド部２１とが適切に接合されている場合には、導電性接合材６０と基板貫通孔２５の第４の主面２０ｂ側の開口部とが接触するフィレット界面Ｙが存在することとなる。
【０１２３】
言い換えれば、例えば、電子装置１の製造工程における外観検査において、導電性接合材６０と基板貫通孔２５の第４の主面２０ｂ側の開口部とが接触するフィレット界面Ｙが存在する場合には、導電性接合材６０と第２の接続ランド部２１とが適切に接合されていると判断することができる。
【０１２４】
上述のように、基準部材Ｒと導電性接合材６０との基準界面Ｚを通る第１の主面１０ａに垂直な法線が基板貫通孔２５の内部を貫通していることにより、基準部材Ｒと導電性接合材６０との基準界面Ｚが基板貫通孔２５の第３の主面２０ａ側から確認することができる。
【０１２５】
このように、本第３の実施形態においても、基準部材Ｒと導電性接合材６０との基準界面Ｚを確認することにより、少なくとも第１の接続ランド部１１と導電性接合材６０とが接合されているか否かを判断できる。
【０１２６】
すなわち、本第３の実施形態の電源装置では、第１の実施形態と同様に、２枚の第１、第２のプリント基板１０、２０がはんだ付けにより正常に接合されていることを容易に確認することができる。
【第４の実施形態】
【０１２７】
本第４の実施形態では、基準部材Ｒの第１の主面１０ａに平行な断面の形状、及び、基板貫通孔２５の第４の主面２０ｂに平行な断面の形状のさらに他の例について説明する。
【０１２８】
ここで、図１３は、図５に示す電子装置１の接合部分近傍の領域Ｚを拡大した構成の他の例を示す上面図である。なお、図１３の例においては、図７Ａの符号と同じ符号は、第１の実施形態と同様の構成を示す。
【０１２９】
例えば、図１３に示すように、基準部材Ｒの第１の主面１０ａに平行な断面の形状は、長方形であり、基板貫通孔２５の第４の主面２０ｂに平行な断面の形状は、２つの円形の一部を繋げた形状である。
【０１３０】
また、図１３に示すように、導電性接合材６０と第１の接続ランド部１１とが適切に接合されている場合には、基準部材Ｒと導電性接合材６０との基準界面Ｚが基板貫通孔２５の第３の主面２０ａ側から見えている。
【０１３１】
言い換えれば、例えば、電子装置１の製造工程における外観検査において、基準部材Ｒと導電性接合材６０との基準界面Ｚが基板貫通孔２５の第３の主面２０ａ側から見えている場合には、導電性接合材６０と第１の接続ランド部１１とが適切に接合されていると判断することができる。
【０１３２】
そして、図１３に示すように、導電性接合材６０と第２の接続ランド部２１とが適切に接合されている場合には、導電性接合材６０と基板貫通孔２５の第４の主面２０ｂ側の開口部とが接触するフィレット界面Ｙが存在することとなる。
【０１３３】
言い換えれば、例えば、電子装置１の製造工程における外観検査において、導電性接合材６０と基板貫通孔２５の第４の主面２０ｂ側の開口部とが接触するフィレット界面Ｙが存在する場合には、導電性接合材６０と第２の接続ランド部２１とが適切に接合されていると判断することができる。
【０１３４】
上述のように、基準部材Ｒと導電性接合材６０との基準界面Ｚを通る第１の主面１０ａに垂直な法線が基板貫通孔２５の内部を貫通していることにより、基準部材Ｒと導電性接合材６０との基準界面Ｚが基板貫通孔２５の第３の主面２０ａ側から確認することができる。
【０１３５】
このように、本第４の実施形態においても、基準部材Ｒと導電性接合材６０との基準界面Ｚを確認することにより、少なくとも第１の接続ランド部１１と導電性接合材６０とが接合されているか否かを判断できる。
【０１３６】
すなわち、本第４の実施形態の電源装置では、第１の実施形態と同様に、２枚の第１、第２のプリント基板１０、２０がはんだ付けにより正常に接合されていることを容易に確認することができる。
【第５の実施形態】
【０１３７】
本第５の実施形態では、基準部材Ｒの第１の主面１０ａに平行な断面の形状、及び、基板貫通孔２５の第４の主面２０ｂに平行な断面の形状のさらに他の例について説明する。
【０１３８】
ここで、図１４は、図５に示す電子装置１の接合部分近傍の領域Ｚを拡大した構成の他の例を示す上面図である。なお、図１４の例においては、図７Ａの符号と同じ符号は、第１の実施形態と同様の構成を示す。
【０１３９】
例えば、図１４に示すように、基準部材Ｒの第１の主面１０ａに平行な断面の形状は、長方形であり、基板貫通孔２５の第４の主面２０ｂに平行な断面の形状は、円形である。
【０１４０】
また、図１４に示すように、導電性接合材６０と第１の接続ランド部１１とが適切に接合されている場合には、基準部材Ｒと導電性接合材６０との基準界面Ｚが基板貫通孔２５の第３の主面２０ａ側から見えている。
【０１４１】
言い換えれば、例えば、電子装置１の製造工程における外観検査において、基準部材Ｒと導電性接合材６０との基準界面Ｚが基板貫通孔２５の第３の主面２０ａ側から見えている場合には、導電性接合材６０と第１の接続ランド部１１とが適切に接合されていると判断することができる。
【０１４２】
そして、図１４に示すように、導電性接合材６０と第２の接続ランド部２１とが適切に接合されている場合には、導電性接合材６０と基板貫通孔２５の第４の主面２０ｂ側の開口部とが接触するフィレット界面Ｙが存在することとなる。
【０１４３】
言い換えれば、例えば、電子装置１の製造工程における外観検査において、導電性接合材６０と基板貫通孔２５の第４の主面２０ｂ側の開口部とが接触するフィレット界面Ｙが存在する場合には、導電性接合材６０と第２の接続ランド部２１とが適切に接合されていると判断することができる。
【０１４４】
上述のように、基準部材Ｒと導電性接合材６０との基準界面Ｚを通る第１の主面１０ａに垂直な法線が基板貫通孔２５の内部を貫通していることにより、基準部材Ｒと導電性接合材６０との基準界面Ｚが基板貫通孔２５の第３の主面２０ａ側から確認することができる。
【０１４５】
このように、本第５の実施形態においても、基準部材Ｒと導電性接合材６０との基準界面Ｚを確認することにより、少なくとも第１の接続ランド部１１と導電性接合材６０とが接合されているか否かを判断できる。
【０１４６】
すなわち、本第５の実施形態の電源装置では、第１の実施形態と同様に、２枚の第１、第２のプリント基板１０、２０がはんだ付けにより正常に接合されていることを容易に確認することができる。
【０１４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４８】
１  電子装置
１０  プリント基板
１０ａ  上面（第１の主面）
１０ｂ  下面（第２の主面）
１１  接続ランド部
１２  切り欠き部
１３  配線パターン
１８、１９  電子部品
２０  プリント基板
２０ａ  上面（第３の主面）
２０ｂ  下面（第４の主面）
２１  接続ランド部
２２  切り欠き部
２３、２４  配線パターン
２５  スルーホール
２６、２７  バスバー
２８、２９  電子部品
３０  ケース
３１、３２  底面
３３  斜面
３４  開口
４０  カバー板
５０  封止部
６０  導電性接合材
【要約】
電子装置は、第１の主面と、第１の主面と反対側の第２の主面とを有し、第１の主面の側端に第１の接続ランド部が設けられ、第１の接続ランド部上に基準部材が設けられた第１のプリント基板と、第３の主面と、第３の主面と反対側の第４の主面とを有し、第４の主面の側端に第３の主面と第４の主面との間を貫通する基板貫通孔が形成され、第４の主面の基板貫通孔の開口部に近接して第２の接続ランド部が設けられた第２のプリント基板と、第１の接続ランド部と第２の接続ランド部との間を電気的に接続する導電性接合材と、を備える。基準部材は、第１のプリント基板と第２のプリント基板とを接合する際に溶融した導電性接合材をはじくようになっている。【図１】
0006445220.tif 000002
【図２】
0006445220.tif 000003
【図３】
0006445220.tif 000004
【図４】
0006445220.tif 000005
【図５】
0006445220.tif 000006
【図６】
0006445220.tif 000007
【図７Ａ】
0006445220.tif 000008
【図７Ｂ】
0006445220.tif 000009
【図８】
0006445220.tif 000010
【図９】
0006445220.tif 000011
【図１０】
0006445220.tif 000012
【図１１】
0006445220.tif 000013
【図１２】
0006445220.tif 000014
【図１３】
0006445220.tif 000015
【図１４】
0006445220.tif 000016